(57)【特許請求の範囲】
【請求項１】
複数の内容ごとにグループ化されたデジタルオーディオブロードキャスティングのダイナミックラベルを連続して受信する受信手段と、
前記ダイナミックラベルを表示する表示手段と、
前記グループの区切りを示す区切り識別子を検出する検出手段と、
前記検出手段が前記区切り識別子を検出したときに、前記グループの区切りに達したことを報知する報知手段と、
を有し、
前記報知手段は、前記ダイナミックラベルの後に、前記グループの区切りを示す文字列を前記表示手段に表示することを特徴とする、情報表示装置。
【請求項２】
前記報知手段は、更に音によって前記グループの区切りに達したことを報知することを特徴とする、請求項１に記載の情報表示装置。
【請求項３】
複数の内容ごとにグループ化されたデジタルオーディオブロードキャスティングのダイナミックラベルを連続して受信し、該ダイナミックラベルを表示装置に順次表示する受信装置において、
前記グループの区切りを示す区切り識別子を検出し、
前記グループの区切りに達したことを報知する文字列を前記表示装置に表示することを特徴とする、情報表示方法。
【請求項４】
請求項３に記載の情報表示方法をＣＰＵにより処理可能なプログラムとして格納した記憶媒体。
【発明の詳細な説明】
【０００１】
【発明の属する技術分野】
本発明は文字情報を連続して受信して表示する情報表示装置および情報表示方法に関する。
【０００２】
【従来の技術】
現在、デジタル化されたオーディオデータを放送するＤＡＢ（ディジタル・オーディオ・ブロードキャスティング）の規格化が進んでいる。ＤＡＢは移動体上の受信機に対して高品位なデジタル・オーディオ・プログラムやデータサービスを提供することが可能である。
【０００３】
また、ＤＡＢ信号の各オーディオフレーム（サンプリング周波数４８ｋＨｚの時は２４ｍｓｅｃ）はその末尾にＰｒｏｇｒａｍｍｅ  Ａｓｏｃｉａｔｅｄ  Ｄａｔａ（以下、ＰＡＤ）といわれるデータ領域を有している。ＰＡＤにはサイズが２バイト固定のｆｉｘｅｄ  ＰＡＤ（Ｆ−ＰＡＤ）と可変サイズ（なし、または４バイト以上）のｅｘｔｅｎｄ  ＰＡＤ（Ｘ−ＰＡＤ）の２種類がある。各オーディオフレームのＸ−ＰＡＤは少なくとも一つのＸ−ＰＡＤサブフィールドを含む。また、一つ以上の連続するＸ−ＰＡＤサブフィールドはグループ化してＸ−ＰＡＤデータグループを形成する。なお、複数のオーディオフレームにまたがって一つのＸ−ＰＡＤデータグループを形成することも、また一つのオーディオフレームに複数のＸ−ＰＡＤデータグループを形成することも可能である。
【０００４】
ダイナミック・ラベル・セグメント（以下、ＤＬＳ）は、一つのＸ−ＰＡＤデータグループ内に展開される最大１６バイトの文字情報である。また、複数（８以内）のＤＬＳはダイナミックラベル（最大１６ｘ８＝１２８バイト）というブロックを形成する。なお、前記ダイナミックラベルは主として番組に関連する情報を提供するために利用される。
【０００５】
ここで、ＤＬＳを含むＸ−ＰＡＤデータグループはその先頭にＰｒｅｆｉｘと呼ばれる１６ビットのデータを有する。さらにＰｒｅｆｉｘの２ビット目および３ビット目はそれぞれｆｉｒｓｔ／ｌａｓｔフラグと呼ばれる。ここで、ｆｉｒｓｔフラグが１であればそのＤＬＳはダイナミックラベルの先頭のＤＬＳであり、またｌａｓｔフラグが１であればそのＤＬＳはダイナミックラベルの終端のＤＬＳである。すなわち、ｆｉｒｓｔ／ｌａｓｔフラグはダイナミックラベルの区切り識別子として機能する。
【０００６】
従来のＤＡＢ受信機はダイナミックラベルを随時読み込み、ディスプレイに表示させていた。特にＤＡＢ受信機が車載型のものである場合は、２〜３行程度の表示領域のディスプレイしか搭載できないので、一旦バッファに一つのダイナミックラベルの文字データを読み込み、１ＤＬＳずつ順次表示させるという手法を用いている。
【０００７】
しかしながら従来の手法では、あるダイナミックラベルに関して順次表示されるＤＬＳとダイナミックラベルが変わったときの、前ダイナミックラベルの最後のＤＬＳから次のダイナミックラベルにおける最初のＤＬＳの表示とが同様に扱われていたため、連続するダイナミックラベルの内容の主題が大きく異なっていたような場合、受信機のユーザーの混乱を招く可能性があった。
【０００８】
【発明が解決しようとする課題】
本発明は文字情報を連続して受信して表示する情報表示装置において、文字情報の区切りの判断が容易な情報表示装置を提供することを目的とする。
【０００９】
【課題を解決するための手段】
上記の目的を達成するために、請求項1に記載の情報表示装置は、複数の内容ごとにグループ化されたデジタルオーディオブロードキャスティングのダイナミックラベルを連続して受信する受信手段と、ダイナミックラベルを表示する表示手段と、グループの区切りを示す区切り識別子を検出する検出手段と、検出手段が区切り識別子を検出したときにグループの区切りに達したことを報知する報知手段とを有する構成とし、文字情報の区切りの判断を容易なものとしている。ここで、報知手段は所定の音を出力する（請求項２）等の手段によって文字情報の区切りを報知する。
【００１０】
また、請求項３に記載の情報表示方法は、ダイナミックラベルを連続して受信して表示装置に順次表示する受信装置において、グループの区切りを示す区切り識別子を検出し、グループの区切りに達したことを報知する文字列を表示装置に表示する。また情報表示方法はＣＰＵにより処理可能なプログラムとして記憶媒体に格納される（請求項４）。
【００１１】
【発明の実施の形態】
本発明の実施の形態を図面を用いて詳細に説明する。図１は本発明の実施の形態のＤＡＢ受信機のブロック図である。ＤＡＢ信号はまずアンテナ１０１を介して高周波増幅回路１０２により所定のレベルに増幅された後、混合回路１０３に入力される。
【００１２】
混合回路１０３のもう一方の入力は局部発振器１０４に接続されており、混合回路１０３は局部発振器１０４の周波数により所望のＤＡＢ信号周波数をＩＦ信号に変換して中間周波増幅回路１０６に出力する。ここで、所望のＤＡＢ信号周波数を得るために、制御回路１１３によりＰＬＬ１０５に分周比を設定して局部発振器１０４の周波数を変更している。中間周波増幅回路１０６は不要な信号成分を除き、ＡＧＣ等によりさらに所定の信号レベルになるようにＩＦ信号を増幅する。この増幅信号は、ＤＡＢ信号デコーダ１０７へ入力され、制御回路１１３により、ユーザーが操作キー１１２で選択した番組に相当するデータを選択して、ＭＰＥＧオーディオデコーダ１０８へ入力する。ＭＰＥＧオーディオデコーダ１０８の出力はオーディオ信号増幅回路１０９へ入力され、最終的にスピーカ１１０を通してユーザーへＤＡＢのオーディオサービスを提供する。
【００１３】
また、制御回路１１３はＤＡＢ信号デコーダ１０７を制御して前記増幅信号よりＤＬＳを含むＸ−ＰＡＤを取り出し、メモリ１１４に転送する。次いで、制御回路１１３はメモリ１１４に転送された前記Ｘ−ＰＡＤよりＤＳＬを取り出し、モニタ１１１に表示する。さらに、制御回路１１３はメモリ１１４に転送された前記Ｘ−ＰＡＤのＰｒｅｆｉｘのｌａｓｔフラグが１であるかを判定し、前記ｌａｓｔフラグが１であれば、ダイナミックラベルの区切りを報知する文字列をモニタ１１１に表示する。
【００１４】
本発明の実施の形態のＤＡＢ受信機の、ダイナミックラベルの表示ルーチンのフロー図を図２に示す。ここで前記表示ルーチンはプログラムとして制御回路１１３中のＲＯＭに格納されており、制御回路１１３中のＣＰＵによって実行されている。
【００１５】
前記表示ルーチンにおいては、最初にステップＳ１０１にてＤＬＳを含むＸ−ＰＡＤを受信してメモリ１１４に転送する。次いでステップＳ１０２に進み、Ｘ−ＰＡＤのＰｒｅｆｉｘのｆｉｒｓｔ／ｌａｓｔフラグを解析して、ステップＳ１０４に進む。さらにステップＳ１０４ではメモリ１１４に保存されているＸ−ＰＡＤからＤＳＬを抜き出してモニタ１１１に表示する。
【００１６】
次いでステップＳ１０５に進み、ステップＳ１０３にて解析されたｌａｓｔフラグの値が１であるかどうか、すなわち現在モニタ１１１に表示されているＤＬＳがダイナミックラベルの最後のＤＬＳであるかどうかの判断を行っている。ここで、現在モニタ１１１に表示されているＤＬＳがダイナミックラベルの最後のＤＬＳであれば（Ｓ１０５：ＹＥＳ）、ステップＳ１０６に進む。また、現在モニタ１１１に表示されているＤＬＳがダイナミックラベルの最後のＤＬＳでなければ（Ｓ１０５：ＮＯ）、ステップＳ１０１に戻る。
【００１７】
ステップＳ１０６ではＥＮＤ表示処理が行われる。すなわちモニタ１１１にダイナミックラベルの終端を報知する所定の文字列、例えば「−−  ＥＮＤ  −−」を表示する。次いでステップＳ１０７に進み、ダイナミックラベルの終端を報知する報知音をスピーカ１１０より出力する。なお、本実施例では所定の文字列の表示および所定の音によりダイナミックラベルの終端を報知しているが、これは一例であって、本発明はこれに限定されるものではない。たとえば、ダイナミックラベルの終端を検知した後の所定の時間、表示されるＤＬＳを点滅させたり、ダイナミックラベルの終端を検知した後に表示されるＤＬＳの色を変更する等の方法によりダイナミックラベルの終端を報知する構成としても構わない。また、所定の文字列と音の両方ではなく、いずれか一方のみで報知しても良く、さらには、上記の変形例に音による報知を組み合わせても良い。
【００１８】
次いで、ステップＳ１０８に進み、ＤＡＢ信号に次のダイナミックラベルが含まれているかどうかの判定を行う。ＤＡＢ信号に次のダイナミックラベルが含まれているならば（Ｓ１０８：ＹＥＳ）、ステップＳ１０１に戻って次のダイナミックラベルの先頭のＤＬＳを受信してメモリ１１４に転送する。また、ＤＡＢ信号に次のダイナミックラベルが含まれていないならば（Ｓ１０８：ＮＯ）、本ルーチンを終了する。
【００１９】
以上のようなフローでダイナミックラベルの表示を行うことにより、本発明の実施の形態のＤＡＢ受信機は、図３の表示結果のように一つのダイナミックラベルの終端のＤＬＳを表示したあとに、ダイナミックラベルの終端を報知する文字列「−−  ＥＮＤ  −−」が表示され、さらにダイナミックラベルの終端を報知する音が出力される。
【００２０】
よって、本発明の実施の形態の情報表示装置であるＤＡＢ受信機によれば、ダイナミックラベルの区切りの判断が容易であり、連続するダイナミックラベルの内容の混同を防ぐことができる。
【図面の簡単な説明】
【図１】本発明の実施の形態の情報表示装置であるＤＡＢ受信機のブロック図である。
【図２】本発明の実施の形態の情報表示装置であるＤＡＢ受信機の、文字情報の区切りを報知するルーチンのフロー図である。
【図３】本発明の実施の形態情報表示装置であるＤＡＢ受信機のＤＬＳ表示遷移を示した図である。
【符号の説明】
１０１      アンテナ
１０２      高周波増幅回路
１０３      混合回路
１０４      局部発振器
１０５      ＰＬＬ
１０６      中間周波増幅回路
１０７      ＤＡＢ信号デコーダ
１０８      ＭＰＥＧオーディオデコーダ
１０９      オーディオ信号増幅回路
１１０      スピーカ
１１１      モニタ
１１２      操作キー
１１３      制御回路
１１４      メモリ
【図１】
0004263836.tif 000002
【図２】
0004263836.tif 000003
【図３】
0004263836.tif 000004